(57)【特許請求の範囲】
【請求項１】
コネクタハウジングの背面から該背面に略垂直な方向に向けて電線が引き出されたコネクタと、該コネクタの背面部に前記コネクタハウジングの背面に略平行な方向に沿ってスライド自在に装着されることで、前記コネクタハウジングの背面から引き出された電線を覆うと共に前記スライド方向へ向けて誘導する電線カバーと、を備え、
前記電線カバーは、前記コネクタハウジングの背面に対向すると共に該コネクタハウジングの背面から引き出された電線を押圧することで該電線を前記スライド方向へ誘導する上面板と、該上面板の両側に連設され、前記コネクタにスライド自在に嵌まる一対の側面板と、を有しており、
前記コネクタ及び前記電線カバーの両側面板の対向面のうちの一方に、前記電線の誘導方向と略平行に延びる第１ガイド溝が形成され、他方に、前記第１ガイド溝にスライド自在に係合する第１ガイド凸部が設けられ、
前記第１ガイド溝に第１ガイド凸部を挿入した状態で、前記電線カバーを、その前端がコネクタハウジングの背面の前記スライド方向の長さの中央位置を超える位置までスライドさせることにより、電線を所定方向に誘導すると共に電線カバーをコネクタに抜け止め係止するコネクタ用電線カバーの取付構造において、
前記第１ガイド溝及び第１ガイド凸部を、前記コネクタ及び電線カバーの前記スライド方向における前部にそれぞれ形成すると共に、これら第１ガイド溝及び第１ガイド凸部とは別に、前記コネクタの電線カバーの前記スライド方向における後部に、互いに係合した状態で前記電線カバーのスライド方向にスライドすることにより、電線カバーをコネクタに抜け止め係止する第２ガイド溝及び第２ガイド凸部をそれぞれ形成し、
前記第１ガイド溝及び前記第１ガイド凸部を挿入するための第１の入口と前記第２ガイド溝及び前記第２ガイド凸部を挿入するための第２の入口とを前記コネクタに設け、
前記第１ガイド溝と前記第２ガイド溝とを、前記コネクタハウジングの背面に垂直な方向に位置をずらして平行に形成し、前記第１ガイド溝は前記コネクタハウジングの背面に近い位置に配置すると共に、前記第２ガイド溝は前記コネクタハウジングの背面から遠い位置に配置し、前記第１ガイド溝に第１ガイド凸部を挿入するための前記第１の入口を、コネクタの前記スライド方向の中央位置付近に形成した切欠によって構成し、前記第２ガイド溝に第２ガイド凸部を挿入するための前記第２の入口を、前記第２ガイド溝の長さ方向の外側の端部を開放することで構成したことを特徴とするコネクタ用電線カバーの取付構造。
【発明の詳細な説明】
【技術分野】
【０００１】
本発明は、コネクタの背面より引き出された電線を側方に誘導する場合に装着されるコネクタ用電線カバーの取付構造に関するものである。
【背景技術】
【０００２】
例えば、特許文献１に、この種のコネクタ用電線カバーの取付構造の例が開示されている。
【０００３】
この電線カバーの取付構造は、コネクタハウジングの背面から電線が引き出されたコネクタと、コネクタの背面部にスライド自在に装着されることで、前記電線を所定の方向へ誘導する電線カバーと、を備えており、電線カバーは、コネクタハウジングの背面から引き出された電線を押圧することで電線をスライド方向へ誘導する上面板と、コネクタにスライド自在に嵌まる一対の側面板とを有する断面略コ字形をなしている。
【０００４】
そして、コネクタ及び電線カバーの両側面板の対向面のうちの一方に、電線の誘導方向と略平行に延びる第１ガイド溝が形成され、他方に、第１ガイド溝にスライド自在に係合する第１ガイド凸部が設けられており、第１ガイド溝に第１ガイド凸部を挿入した状態で、電線カバーを、その前端がコネクタハウジングの背面のスライド方向の長さの中央位置を超える位置までスライドさせることにより、電線を所定方向に誘導すると共に電線カバーをコネクタに抜け止め係止できるようになっている。
【０００５】
この場合のガイド溝は、コネクタの端に入口を有しており、電線カバーをコネクタに装着する際には、そのコネクタの端に設けられた入口からガイド溝にガイド凸部を挿入して、コネクタの逆端まで電線カバーをスライドさせることにより、コネクタの背面から引き出された電線をコネクタに背面に略平行な方向へ誘導するようになっている。
【特許文献１】特開２００２−３５２８９７号公報
【発明の開示】
【発明が解決しようとする課題】
【０００６】
しかし、従来例のように、コネクタの端から電線カバーをコネクタに係合させてスライドさせる場合、電線カバーをスライドさせる距離が長くなるため、電線カバーと電線が擦れ合う時間及び距離が長くなる。また、電線から大きな抵抗を受けながら、電線カバーをスライドさせて、電線を押し曲げなければならないため、電線に摩擦による損傷を与えるおそれが出てくる上、押し曲げ時の抵抗により電線カバーのスライド操作がしにくくなるという問題がある。
【０００７】
本発明は、上記事情を考慮し、電線カバーのスライドによる電線への損傷を最小限に抑えることができると共に、電線カバーのスライド操作をしやすくすることの可能なコネクタ用電線カバーの取付構造を提供することを目的とする。
【課題を解決するための手段】
【００１２】
請求項１の発明は、コネクタハウジングの背面から該背面に略垂直な方向に向けて電線が引き出されたコネクタと、該コネクタの背面部に前記コネクタハウジングの背面に略平行な方向に沿ってスライド自在に装着されることで、前記コネクタハウジングの背面から引き出された電線を覆うと共に前記スライド方向へ向けて誘導する電線カバーと、を備え、前記電線カバーは、前記コネクタハウジングの背面に対向すると共に該コネクタハウジングの背面から引き出された電線を押圧することで該電線を前記スライド方向へ誘導する上面板と、該上面板の両側に連設され、前記コネクタにスライド自在に嵌まる一対の側面板と、を有しており、前記コネクタ及び前記電線カバーの両側面板の対向面のうちの一方に、前記電線の誘導方向と略平行に延びる第１ガイド溝が形成され、他方に、前記第１ガイド溝にスライド自在に係合する第１ガイド凸部が設けられ、前記第１ガイド溝に第１ガイド凸部を挿入した状態で、前記電線カバーを、その前端がコネクタハウジングの背面の前記スライド方向の長さの中央位置を超える位置までスライドさせることにより、電線を所定方向に誘導すると共に電線カバーをコネクタに抜け止め係止するコネクタ用電線カバーの取付構造において、前記第１ガイド溝及び第１ガイド凸部を、前記コネクタ及び電線カバーの前記スライド方向における前部にそれぞれ形成すると共に、これら第１ガイド溝及び第１ガイド凸部とは別に、前記コネクタの電線カバーの前記スライド方向における後部に、互いに係合した状態で前記電線カバーのスライド方向にスライドすることにより、電線カバーをコネクタに抜け止め係止する第２ガイド溝及び第２ガイド凸部をそれぞれ形成し、前記第１ガイド溝及び前記第１ガイド凸部を挿入するための第１の入口と前記第２ガイド溝及び前記第２ガイド凸部を挿入するための第２の入口とを前記コネクタに設け、前記第１ガイド溝と前記第２ガイド溝とを、前記コネクタハウジングの背面に垂直な方向に位置をずらして平行に形成し、前記第１ガイド溝は前記コネクタハウジングの背面に近い位置に配置すると共に、前記第２ガイド溝は前記コネクタハウジングの背面から遠い位置に配置し、前記第１ガイド溝に第１ガイド凸部を挿入するための前記第１の入口を、コネクタの前記スライド方向の中央位置付近に形成した切欠によって構成し、前記第２ガイド溝に第２ガイド凸部を挿入するための前記第２の入口を、前記第２ガイド溝の長さ方向の外側の端部を開放することで構成したことを特徴とする。
【発明の効果】
【００１４】
請求項１の発明によれば、第１ガイド溝に第１ガイド凸部を挿入するための第１の入口を、電線カバーの前端がコネクタハウジングの背面のスライド方向の長さの中央位置付近またはそれを超える位置にある状態で、コネクタハウジングの背面に対して垂直な方向から電線カバーをコネクタの背面部に被せることのできる位置に設けているので、電線カバーをコネクタの端から係合させずに、予めコネクタの中央付近に持っていってから、コネクタに係合させることができる。
【００１５】
即ち、電線カバーをコネクタの背面部に被せる際に、中央付近までは、コネクタから離れた位置で、あまり電線を強く押圧せずに、電線カバーを移動させることができ、中央位置付近に達した段階あるいは中央位置を超えた段階で初めて、第１の入口から第１ガイド凸部を第１ガイド溝に挿入することにより、電線カバーをコネクタに係合させることができる。そして、第１の入口から第１ガイド溝に第１ガイド凸部を挿入した位置から更に前方に電線カバーをスライドさせることにより、電線カバーによって電線を押圧しながら、所定の方向に向けて電線を円滑に誘導することができる。
【００１６】
従って、電線カバーをコネクタの端から係合させて逆端までスライドさせることにより電線を所定方向に誘導する場合と比べて、電線を押圧しながら電線カバーをスライドさせる距離（電線カバーの組付けストローク）を短くすることができ、電線カバーと電線の擦れ合う距離の短縮により、摩擦で電線を損傷するおそれを軽減することができる。
【００１７】
また、電線カバーをコネクタに被せる最初の段階は、コネクタから離れた位置で、弱い力で電線を電線カバーにより押し曲げ、徐々に押し曲げを強めながら、電線カバーをコネクタに最終的に係合させればよいので、電線カバーをコネクタの端から係合させる場合と比べて、少ない抵抗で電線を所定の方向に矯正・誘導することができ、電線に与える影響を軽減することができる。
【００１９】
また、コネクタ及び電線カバーの前部と後部にガイド溝とガイド凸部を設けているので、電線カバーを前部と後部で確実に抜け止め防止することができる。また、前部と後部でガイドできるので、スライド動作が安定し、電線の誘導をスムーズに行うことができる。
【００２１】
さらに、第１ガイド溝と第２ガイド溝を位置をずらして形成しているので、第１ガイド凸部と第２ガイド凸部をそれぞれのガイド溝に確実に係合させることができる。
【発明を実施するための最良の形態】
【００２３】
以下、本発明の実施形態を図面を参照して説明する。
【００２４】
図１は実施形態のコネクタ用電線カバーの取付構造の説明用の斜視図であり、電線カバーをコネクタに装着する前の状態を示す図、図２は電線カバーをコネクタに装着した後の状態を示す斜視図、図３は電線カバーとコネクタの関係を示す側面図である、
このコネクタ用電線カバーの取付構造は、合成樹脂製のコネクタハウジングの背面１１から該背面１１に略垂直な方向に向けて電線（図示略）が引き出されたコネクタ１０と、このコネクタ１０の背面部にコネクタハウジングの背面１１に略平行な方向に沿ってスライド自在に装着されることで、コネクタハウジングの背面１１から引き出された電線を前記スライド方向へ向けて誘導する合成樹脂製の電線カバー２０と、の間で構成されている。
【００２５】
電線カバー２０は、コネクタハウジングの背面１１に対向すると共にコネクタハウジングの背面１１から引き出された電線を押圧することで電線をスライド方向へ誘導する上面板２１と、上面板２１の両側に連設され、コネクタ１０の背面側の両外側面１４にスライド自在に嵌まる一対の側面板２２、２２と、を有する断面略コ字形をなしている。
【００２６】
コネクタ１０の背面側の両外側面１４及び電線カバー２０の両側面板２２、２２の内面のうちの一方（本実施形態では、コネクタの背面側の両外側面１４）には、電線の誘導方向と略平行に延びる第１ガイド溝１２が形成され、他方（本実施形態では、電線カバー２０の両側面板２２の内面）には、第１ガイド溝１２にスライド自在に係合する第１ガイド凸部２４が設けられている。
【００２７】
そして、第１ガイド溝１２に第１ガイド凸部２４を挿入した状態で、電線カバー２０を、その前端がコネクタハウジングの背面１１のスライド方向の長さの中央位置を超える位置までスライドさせることにより、電線を所定方向に誘導すると共に電線カバー２０をコネクタ１０に抜け止め係止することができるようになっている。
【００２８】
この場合、第１ガイド溝１２に第１ガイド凸部２４を挿入するための第１の入口１３は、電線カバー２０の前端がコネクタハウジングの背面１１の前記スライド方向の長さの中央位置付近またはそれを超える位置にある状態で、コネクタハウジングの背面１１に対して垂直な方向（図３中矢印Ｙ１方向）から電線カバー２０をコネクタ１０の背面部に被せることのできる位置に設けられている。
【００２９】
また、第１ガイド溝１２は、第１の入口１３よりも電線カバー２０のスライド方向の前方まで延ばして形成されており、その延ばして形成された溝部分（以下、係合溝部と言う）１２ａにより、第１ガイド溝１２に対する第１ガイド凸部２４の電線の誘導のためのスライド代と電線カバー２０をコネクタ１０に抜け止め係止するための係合代とが確保されている。
【００３０】
第１ガイド溝１２及び第１ガイド凸部２４は、コネクタ１０及び電線カバー２０のスライド方向における前部にそれぞれ形成されている。また、これら第１ガイド溝１２及び第１ガイド凸部２４とは別に、コネクタ１０及び電線カバー２０のスライド方向における後部には、互いに係合した状態で電線カバー２０のスライド方向にスライドすることにより、電線カバー２０をコネクタ１０に抜け止め係止する第２ガイド溝１５及び第２ガイド凸部２５がそれぞれ形成されている。
【００３１】
第２ガイド溝１５に第２ガイド凸部２５を挿入するための第２の入口１５ａは、第１の入口１３から第１ガイド凸部２４を第１ガイド溝１２に挿入するときに同時に、第２ガイド凸部２５を第２ガイド溝１５に挿入することのできる位置に設けられている。
【００３２】
また、第１ガイド溝１２及び第１の入口１３と第２ガイド溝１５及び第２の入口１５ａは、コネクタ１０の背面側の両外側面１４に、コネクタハウジングの背面１１の前記スライド方向の中央位置を挟んで線対称となるように形成されており、それにより、スライド方向に沿った方向のどちら側からも、電線カバー２０をコネクタ１０に装着できるようになっている。
【００３３】
また、第１ガイド溝１２と第２ガイド溝１５は、コネクタハウジングの背面１１に垂直な方向に位置をずらして形成されており、第１ガイド溝１２はコネクタハウジングの背面１１に近い位置に配置され、第２ガイド溝１５はコネクタハウジングの背面１１から遠い位置に配置されている。
【００３４】
そして、第１ガイド溝１２に第１ガイド凸部２４を挿入するための第１の入口１３が、コネクタ１０の背面側の両外側面１４の前記スライド方向の中央位置付近に形成した切欠（図３に示す第１ガイド溝１２を分断した区間Ｃ）によって構成され、第２ガイド溝１５に第２ガイド凸部２５を挿入するための第２の入口１５ａが、第２ガイド溝１５の長さ方向の外側の端部を開放することで構成されている。
【００３５】
この場合、第１、第２ガイド溝１２、１５及び第１、第２の入口１３、１５ａは、コネクタ１０の背面側の外側面１４に底の浅い線状または面状の凹みを設けることで形成されており、前述した電線カバー２０のスライド代及び係合代を確保する係合溝部１２ａの上側（コネクタハウジングの背面に近い側）には、第１の入口１３の両側に切り欠かれずに残された係止壁部１４ａが設けられている。なお、各ガイド溝１２、１５には、行き止まり端１２ｂ、１５ｂが設けられている。
【００３６】
また、電線カバー２０の両側面板２２とコネクタ１０の両外側面とが嵌まる位置には、係合溝１７と係合突起２７が設けられている。即ち、第１、第２ガイド溝１２、１５や第１、第２の入口１３、１５ａを形成したコネクタ１０の背面側の外側面１４の端壁には係合溝１７が形成され、その端壁に対向する電線カバー２０の突当面には、電線カバー２０をコネクタ１０の背面部に被せたときに係合溝１７と係合することで、電線カバー２０の両側面板２２の外方への開きを阻止する係合突起２７が形成されている。
【００３７】
また、電線カバー２０は、前端面が開放しているものの、後端面が後端壁２３により塞がれている。また、電線カバー２０の上面板２１は、スライド方向と直交する幅方向の中央部が盛り上がった断面凸湾曲状に形成されており、その上面板２１の前端縁２１ａが、中央に括れを有する凹状の輪郭に形成され、その輪郭に沿って上面板２１の前端縁２１ａの上面にリブ２８が設けられている。
【００３８】
また、コネクタ１０の背面には、所定位置まで電線カバー２０をスライドさせたとき、電線カバー２０の後端壁（ストッパ）２３が突き当たることにより、その位置で電線カバー２０を止めるストッパ１９が突設されている。
【００３９】
なお、電線カバー２０に設けた第１ガイド凸部２４と第２ガイド凸部２５は、共に電線カバー２０のスライド方向にある程度の長さを持った突条物として形成されており、第１ガイド溝１２または第２ガイド溝１５に第１ガイド凸部２４または第２ガイド凸部２５を挿入するだけでも、つまり、電線カバー２０の前部または後部を係合させるだけでも、電線カバー２０の前端または後端の持ち上がりを十分に阻止できるようになっている。
【００４０】
次に作用を説明する。
【００４１】
上記のコネクタ１０に電線カバー２０を装着して、コネクタハウジングの背面１１から引き出された電線を所定の方向に向けて誘導する場合は、まず、電線カバー２０をコネクタ１０から離れた位置で持って、電線に近づけて行き、全ての電線を、略コ字状断面の電線カバー２０で拾いながら、誘導しようとする方向に押し曲げて行く。このとき、予め電線に曲げ癖を付けておくと作業しやすい。
【００４２】
そして、電線を押し曲げながら電線カバー２０をコネクタ１０に近づけて行き、電線カバー２０側の第１ガイド凸部２４が第１の入口１３に入る位置まで移動したら、電線の曲げ抵抗に抗して、電線カバー２０を図３中矢印Ｙ１方向に押し下げながら、第１の入口１３から電線カバー２０側の第１ガイド凸部２４をコネクタ１０側の第１ガイド溝１２（図中の前方へ延ばされた溝部分１２ａ）に挿入すると同時に、第２の入口１５ａから電線カバー２０側の第２ガイド凸部２５をコネクタ１０側の第２ガイド溝１５に挿入する。
【００４３】
挿入したら、電線カバー２０を図３中矢印Ｙ２で示す前方向にスライドさせる。所定のスライド代分だけ電線カバー２０をスライドさせると、電線カバー２０の後端壁２３がコネクタ１０側のストッパ１９に当たって止まり、この状態で、電線が確実に予定する方向に誘導されると同時に、第１、第２ガイド凸部２４、２５が第１、第２ガイド溝１２、１５に確実に係合することで、電線カバー２０が抜け止め固定される。
【００４４】
そのスライド操作の際、第１、第２ガイド溝１２、１５と第１、第２ガイド凸部２４、２５は、電線カバー２０をガタツキなくガイドする。
【００４５】
以上のように、本実施形態の電線カバーの取付構造によれば、第１ガイド溝１２（係合溝部１２ａ）に第１ガイド凸部２４を挿入するための第１の入口１３を、電線カバー２０の前端がコネクタハウジングの背面１１のスライド方向の長さの中央位置付近またはそれを超える位置にある状態で、コネクタハウジングの背面１１に対して垂直な方向から電線カバー２０をコネクタの背面部に被せることのできる位置に設けているので、電線カバー２０をコネクタ１０の端から係合させずに、予めコネクタ１０の中央付近に持っていってから、コネクタ１０に係合させることができる。
【００４６】
即ち、電線カバー２０をコネクタ１０の背面部に被せる際に、中央付近までは、コネクタ１０から離れた位置で、あまり電線を強く押圧せずに、電線カバー２０を移動させることができ、中央位置付近に達した段階あるいは中央位置を超えた段階で初めて、第１の入口１３から第１ガイド凸部２４を第１ガイド溝１２に挿入することにより、電線カバー２０をコネクタ１０に係合させることができる。そして、第１の入口１３から第１ガイド溝１２に第１ガイド凸部２４を挿入した位置から更に前方の電線カバー２０をスライドさせることにより、電線カバー２０によって電線を押圧しながら、所定の方向に向けて電線を円滑に誘導することができる。
【００４７】
従って、電線カバー２０をコネクタ１０の端から係合させて逆端までスライドさせることにより電線を所定方向に誘導する場合と比べて、電線を押圧しながら電線カバー２０をスライドさせる距離（電線カバー２０の組付けストローク）を短くすることができ、電線カバー２０と電線の擦れ合う距離の短縮により、摩擦で電線を損傷するおそれを軽減することができる。
【００４８】
その点について、図４、図５に示す比較例を用いて更に詳しく説明する。
【００４９】
この比較例では、第１ガイド溝１１２を、コネクタ１１０の一方の端から他方の端へ向かって形成しており、コネクタ１０の一方の端に、第１ガイド溝１１２に対して電線カバー２０の第１ガイド凸部２４を挿入するための第１の入口１１２ａを設けている。また、その第１の入口１１２ａに並べて、第２ガイド溝１１５に対して電線カバー２０の第２ガイド凸部２５を挿入するための第２の入口１１５ａを、同じコネクタ１１０の端に設けている。１１２ｂ、１１５ｂはガイド溝１１２、１１５の行き止まり部である。
【００５０】
このように第１ガイド溝１１２の入口１１２ａを、コネクタ１１０の端に設けている場合、電線カバー２０の前部に設けた第１ガイド凸部２４を、コネクタ１１０の端から、第１ガイド溝１１２に係合させなくてはならないため、最終的に電線カバー２０の組み付け終了となる逆端まで、長い距離に亘って電線カバー２０をスライドさせなくてはならない。つまり、電線カバー２０の組み付け開始から組み付け終了となる位置まで、大きなストロークＢ２で電線カバー２０をスライドさせなくてはならない。
【００５１】
そのため、電線カバー２０スライドさせている間、電線カバー２０とコネクタ１１０の間に挟まれている電線に電線カバー２０が擦れることになり、電線に摩擦による損傷を与えるおそれがある。
【００５２】
これに対し、図３に示す本実施形態では、第１ガイド溝１２の入口１３を、コネクタ１０の長さ方向の中間部に設けたので、実際に電線カバー２０をコネクタ１０に組み付けるストロークを、図中Ｂで示す区間に短縮することができ、Ａで示す区間の組み付けストロークを省略することができる。
【００５３】
これにより、電線カバー２０と電線の擦れ合う距離を短縮することができて、摩擦で電線を損傷するおそれを軽減することができる。
【００５４】
また、電線カバー２０をコネクタ１０に被せる最初の段階は、コネクタ１０から離れた位置で、弱い力で電線を電線カバー２０により押し曲げ、徐々に押し曲げを強めながら、電線カバー２０をコネクタ１０に最終的に係合させればよいので、電線カバー２０をコネクタ１０の端から係合させる場合と比べて、少ない抵抗で電線を所定の方向に矯正・誘導することができ、電線に与える影響を軽減することができる。
【００５５】
また、電線カバー２０は断面コ字形に形成してあるので、コネクタハウジングの背面１１から垂直に引き出された全ての電線を、容易に拾いながら押し曲げて行くことができ、作業性を良くすることができる。
【００５６】
また、本実施形態では、コネクタ１０及び電線カバー２０の前部と後部にガイド溝１２、１５とガイド凸部２４、２５を設けているので、電線カバー２０を前部と後部で確実に抜け止め防止することができる。また、前部と後部でガイドできるので、スライド動作が安定し、電線の誘導をスムーズに行うことができる。
【００５７】
また、本実施形態では、スライド方向に沿った方向のどちら側からでも電線カバー２０をコネクタに装着することができるので、電線の誘導方向を２つの方向のどちらかに選択することができる。
【００５８】
また、本実施形態では、第１ガイド溝１２と第２ガイド溝１５を位置をずらして形成しているので、第１ガイド凸部２４と第２ガイド凸部２５をそれぞれのガイド溝１２、１５に確実に係合させることができる。特に、線対称にガイド溝１２、１５を設ける場合にも、第１ガイド溝１２と第２ガイド溝１５を互いに干渉せずに独立して形成することができるので、ガイド溝１２、１５の行き止まり部分１２ｂ、１５ｂの形成も独自に行うことができる。
【００５９】
また、本実施形態では、コネクタ１０に電線カバー２０のスライド限を定めるストッパ１９を設けたので、電線カバー２０を定位置に確実に固定しておくことができる。
【００６０】
また、本実施形態では、電線カバー２０の両側面板２２の内外方への倒れを阻止する係合溝１７と係合突起２７を設けているので、第１、第２ガイド凸部２４、２５の第１、第２ガイド溝１２、１５からの外れを防止することができ、確実に電線カバー２０をコネクタに固定することができる。
【００６１】
また、本実施形態では、電線カバー２０の上面板２１を中央部が盛り上がった断面凸湾曲状に形成しているので、電線カバー２０が幅広のものである場合にも、電線カバー２０をコネクタ１０に被せるのに伴って拾う多数の電線を中央部に集めやすくなり、その結果、電線カバー２０を円滑にスライドできるようになると共に、電線を容易に規定する方向に誘導しやすくなる。
【００６２】
また、本実施形態では、電線カバー２０の上面板２１の前端縁が凹状の輪郭に形成されているので、多数の電線を無理のない集束の仕方で中央に寄せておくことができる。また、上面板２１の前端縁２１ａの上面にリブ２８を設けているので、上面板２１の前端縁２１ａを補強することができるし、そのリブ２８を、電線カバー２０をスライドさせる際に手や指を掛ける場所として利用することができ、操作性が良くなる。
【００６３】
また、本実施形態では、電線カバー２０の両側面板２２をコネクタ１０の両外側面１４に嵌まるように構成しているので、電線カバー２０とコネクタ１０の係合構造を単純化することができる。
【００６４】
なお、上記実施形態では、コネクタ１０の外側面１４にガイド溝１２、１５を形成し、電線カバー２０の側面板２２の内面にガイド凸部２４、２５を形成しているが、例えば、コネクタ１０の背面側にコネクタハウジングの側壁に連続する一対のフランジを延設して、それらフランジの内面側に電線カバーの側面板の外面が嵌まるようにし、フランジの内面と電線カバーの側面板の外面の一方及び他帆にガイド溝とガイド凸部をそれぞれ形成してもよい。
【００６５】
また、上記実施形態では、ガイド溝１２、１５をコネクタ１０側に形成し、ガイド凸部２４、２５を電線カバー２０側に形成しているが、ガイド溝１２、１５を電線カバー２０側に形成し、ガイド凸部２４、２５をコネクタ１０側に形成することもできる。
【００６６】
また、上記実施形態では、スライド方向のどちら側からも、電線カバー２０をコネクタ１０に装着できるよう、ガイド溝１２、１５を線対象に設けているが、片側だけから電線カバー２０をコネクタ１０に装着できるようにしてもよい。
【００６７】
また、上記実施形態では、第１、第２ガイド溝１２、１５及び第１、第２ガイド凸部２４、２５を、位置をずらして平行に形成しているが、同一直線上に第１、第２ガイド溝１２、１５及び第１、第２ガイド凸部２４、２５を形成してもよい。その場合、１本のガイド溝を、第１、第２ガイド溝１２、１５として共用することも可能である。
【図面の簡単な説明】
【００６８】
【図１】本発明の実施形態のコネクタ用電線カバーの取付構造の説明用の斜視図であり、電線カバーをコネクタに装着する前の状態を示す図である。
【図２】電線カバーをコネクタに装着した後の状態を示す斜視図である。
【図３】電線カバーとコネクタの関係を示す側面図である、
【図４】本発明の実施形態に対する比較例の斜視図である。
【図５】同比較例の側面図である。
【符号の説明】
【００６９】
１０  コネクタ
１１  コネクタハウジングの背面
１２  第１ガイド溝
１２ａ  係合溝部
１２ｂ  行き止まり部
１３  第１の入口
１４  外側面
１５  第２ガイド溝
１５ａ  第２の入口
１５ｂ  行き止まり部
１７  係合溝
１９  ストッパ
２０  電線カバー
２１  上面板
２１ａ  前端縁
２２  側面板
２３  後端壁（ストッパ）
２４  第１ガイド凸部
２５  第２ガイド凸部
２７  係合突起
２８  リブ
【図１】
0004965374.tif 000002
【図２】
0004965374.tif 000003
【図３】
0004965374.tif 000004
【図４】
0004965374.tif 000005
【図５】
0004965374.tif 000006